(57)【要約】      （修正有）【課題】ほのかな香りが継続的に安定して発せられる香り付きティシュペーパーを提供する。【解決手段】シクロデキストリン１１に香料成分１２が包接させた包接体１０をティシュペーパー１００に含有させる。【選択図】図２
2013208184.tif 000002
【特許請求の範囲】
【請求項１】
シクロデキストリンに香料成分が包接された包接体が含有されていることを特徴とする香り付きティシュペーパー。
【請求項２】
保湿剤が含有されている請求項１記載の香り付きティシュペーパー
【請求項３】
前記シクロデキストリンが  β−シクロデキストリンである請求項１又は２記載の香り付きティシュペーパー。
【請求項４】
香料成分が、ｌ−メントールを含むものである請求項３記載の香り付きティシュペーパー。
【発明の詳細な説明】
【技術分野】
【０００１】
本発明は、香りを発する香り付きのティシュペーパーに関する。
【背景技術】
【０００２】
ティシュペーパーの中には、香りを発するようにしたものがあり、消費者に受け入れられている。この香り付きのティシュペーパーは、ローション薬液とも称される保湿剤を含有する高付加価値品のティシュペーパーに一層の高級感を与えるようにしたものが一般的であり、例えば、爽快感を与えるべくミント系、ハッカ系の香りを付与したものや、甘い印象を与える柑橘系の香りを付与したものが知られる。
【０００３】
このような香り付きのティシュペーパーでは、製造されてから使用者がティシュペーパーを使いきるまで安定して継続的に香りがするために、香料を直接的にティシュペーパーに付与せずに、香料をマイクロカプセルに封入したうえ保湿薬液中に分散させて付与するようにしている。このようにマイクロカプセルに香料を封入することで、ティシュペーパーを収納箱から取り出す際のティシュペーパーと収納箱との摺れ等によって、マイクロカプセルが壊われて香りが発するようになり、保管期間中に香料が蒸散してしまうことなく、製造されてから使用者がティシュペーパーを使いきるまで安定して継続的に香りが発するようになる。
【０００４】
しかし、この従来の香り付きティシュペーパーは、香料をマイクロカプセルに封入する際の歩留まりが悪く、マイクロカプセルが高価で、製品コストが高くなるという問題があった。また、マイクロカプセルの外郭は、メラミン樹脂、尿素樹脂、ウレタン樹脂などの樹脂材であり、このような樹脂材が、鼻水をかんだり、口許を清拭したりする際に、意図せず体内に取り込まれるおそれがある点も問題であった。
【０００５】
このように従来の香り付きティシュペーパーについては、製造が煩雑でコストが高いという問題があり、また、一層の安全性を求める要求がある。
【先行技術文献】
【特許文献】
【０００６】
【特許文献１】特開２００５−２３７７４５
【特許文献２】特開２００８−２００１２４
【発明の概要】
【発明が解決しようとする課題】
【０００７】
そこで、本発明の主たる課題は、製造が容易でかつコストが安く、しかも、従来のものよりも安全性の高い香り付きティシュペーパーを提供することにある。
【課題を解決するための手段】
【０００８】
上記課題を解決した本発明は以下のとおりである。
〔請求項１記載の発明〕
シクロデキストリンに香料成分が包接された包接体が含有されていることを特徴とする香り付きティシュペーパー。
【０００９】
〔請求項２記載の発明〕
保湿剤が含有されている請求項１記載の香り付きティシュペーパー。
【００１０】
〔請求項３記載の発明〕
前記シクロデキストリンが  β−シクロデキストリンである請求項１又は２記載の香り付きティシュペーパー。
【００１１】
〔請求項４記載の発明〕
香料成分が、ｌ−メントールを含むものである請求項３記載の香り付きティシュペーパー。
【００１２】
（作用効果）
本発明の香り付きティシュペーパーは、カップ状の環状構造を有し、内部に疎水性分子をゲスト分子として包接する性質を有するシクロデキストリンを用い、そのゲスト分子を香料成分として包接させた包接体を含有させることとした。シクロデキストリンは、水分存在下で包接したゲスト分子を放出するため、本発明の香り付きティシュペーパーは、ティシュペーパーが大気中の水分を吸湿することでわずかに香りを発し、かつ、鼻水をかんだりして多量の水分を吸収した際にしっかりと香りが発せられるようになる。
【００１３】
ここで、シクロデキストリンは、塩基、熱に対して安定的、酸に対しても比較的安定な性質を有し、取り扱い性に優れ、安価であり、食品、医薬品にも用いられており、従来の香り付きティシュペーパーに用いられるマイクロカプセルの外殻を構成する樹脂材と比較して、コスト安で、安全性に優れる。また、ゲスト分子を包接させる方法も、乳化法、飽和水溶液法など歩留まりが高くコストも安い。
【００１４】
よって、本発明の香り付きティシュペーパーは、従来のマイクロカプセルを用いた香り付きティシュペーパーよりも、製造が容易でかつコストが安く、しかも、安全性が高いものとなる。
【００１５】
さらに、本発明の香り付きティシュペーパーは、保湿剤を含有させてより高級感のあるものとするのが望ましい。この保湿剤は、油性成分を主とする油性保湿剤、水性成分を主とする水性保湿剤のいずれでもよいが、水性保湿剤のほうがより好ましい。水性保湿剤は、含有するポリオール等の吸湿性によって大気中の水分を取り込んで、ティシュペーパーにしっとり感を与えるため、かかる水性保湿剤を用いると吸湿作用によりティシュペーパーにしっとり感が付与されるとともに包接体からゲスト分子である香料成分が徐々に放出されて、ほのかな香りが持続的に発せられるようになる。
【００１６】
他方、シクロデキストリンは、結合するグルコースの個数により、一般的にα−シクロデキストリン（グルコース６個）、β−シクロデキストリン（グルコース７個）、γ−シクロデキストリン（グルコース８個）があるが、β−シクロデキストリンは、水に溶け難く、また、安価であることから、本発明では、β−シクロデキストリンを用いるのが望ましい。
【００１７】
また、α、β、γの各シクロデキストリンは、内径が相違しており、その内径に応じたゲスト分子を内部に取り込む。そして、その内径は、α−シクロデキストリンでは０．５〜０．６ｎｍ、β−シクロデキストリンでは０．７〜０．８ｎｍ、γ−シクロデキストリンでは０．９〜１．０ｎｍとなっている。そして、ティシュペーパーに清涼感、爽快感を与えるミント系の香料成分であるｌ−メントールは、β−シクロデキストリンと包接体を作りやすい。よって、本発明に係る香り付きティシュペーパーでは、特に、β−シクロデキストリンにｌ−メントールをゲスト分子とした包接させた包接体を含有させたものであるが望ましい。
【００１８】
他方、シクロデキストリンは、ゲスト分子を放出した後に、空いた内空に再びゲスト分子を取り込む。したがって、本発明に係る香り付きティシュペーパーは、鼻水をかんだ際に香料成分が放散され、その後にその鼻水をかんだティシュペーパーをゴミ箱などに廃棄することで、シクロデキストリンが周囲の異臭成分をゲスト分子として取り込み、消臭機能が発揮されるという、従来の香り付きティシュペーパーにはない、特有の効果も奏する。
【発明の効果】
【００１９】
以上のとおり、本発明によれば、製造が容易であり、コストが安く、しかも、従来のものよりも安全性の高い香り付きティシュペーパーが提供される。
【図面の簡単な説明】
【００２０】
【図１】本発明に係る２プライのティシュペーパーの断面図である。
【図２】本発明に係るティシュペーパーにおける香りの発生を説明するための図である。
【図３】本発明に係るティシュペーパーにおける消臭効果を説明するための図である。
【発明を実施するための形態】
【００２１】
以下に、本発明にかかる香り付きティシュペーパーの実施形態を図面を参照しながら以下に詳述する。本発明に係る香り付きティシュペーパーは、シクロデキストリンに香料成分を包接させた包接体を含有させたものである。
【００２２】
本発明に係る香り付きティシュペーパーは、２プライ又は３プライのプライ構造であるのが望ましい。また、本発明に係る香り付きティシュペーパーの坪量、紙厚は特に限定されないが、ＪＩＳ Ｐ ８１２４による坪量が１プライ当たり１０〜２０ｇ／ｍ2、紙厚（ダイヤルシックネスゲージ：尾崎製作所製ピーコックにより測定）は１００〜２００μｍであるのが望ましい。坪量及び紙厚が上記範囲外であると、ティシュペーパーとしての強度及び柔らかさの点で好ましくない。
【００２３】
本発明に係る香り付きティシュペーパーのプライを構成する原紙は、パルプスラリーに対して乾燥紙力剤や湿潤紙力剤等の既知の薬剤を添加した抄紙原料を、ヤンキドライヤーを有する抄紙設備にて抄造したクレープ紙を用いることができる。
【００２４】
本発明に係る香り付きティシュペーパーにおけるパルプ原料は、ＮＢＫＰ（針葉樹クラフトパルプ）とＬＢＫＰ（広葉樹クラフトパルプ）とで構成されているのが望ましい。適宜古紙パルプが配合されていてもよいが、得られるティシュペーパーの風合いの点でも望ましいことから、バージンパルプのＮＢＫＰとＬＢＫＰのみから構成されているのがよい。その場合の配合割合（ＪＩＳ Ｐ ８１２０）としては、ＮＢＫＰ：ＬＢＫＰ＝２０：８０〜８０：２０がよく、特に、ＮＢＫＰ：ＬＢＫＰ＝３０：７０〜６０：４０が望ましい。
【００２５】
他方、本発明に係るシクロデキストリンに香料成分を包接させた包接体は、既知のα−シクロデキストリン、β−シクロデキストリン、γ−シクロデキストリンに対して、乳化法、飽和水溶液法などの既知の方法により香料成分を包接させて製造することができる。用いるシクロデキストリンの種類は、香料成分との関係で適宜定めればよく、本発明では必ずしも限定はされないが、安価で水に溶けがたく取り扱い性に優れる点でβ−シクロデキストリンが特に好適である。
【００２６】
他方、本発明に係る香料成分は、シクロデキストリンの種類に応じて適宜、選択すればよく、特に限定されるものではないが、具体例として、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を挙げることができる。市販品を使用することもできる。
【００２７】
香料成分のなかでも、ｌ−メントールは、ハッカ香に加えて皮膚刺激作用があり爽快感、清涼感が特に得られ、鼻水をかむ用途や口元を清拭する用途に用いられるティシュペーパーの香料成分として適しているとともに、上記の安価なβ−シクロデキストリンとの相性がよくゲスト分子として包接される。よって、本発明に係る香り付きティシュペーパーでは、β−シクロデキストリンにｌ−メントールをゲスト分子として包接させた包接体を含有したものが望ましい例として示すことができる。
【００２８】
ここで、本発明に係る香り付きティシュペーパーにおける包接体の含有量は特に限定されない。香料成分等の効果、香りの強さにより適宜定めることができる。好適な範囲と例示するならば、０．０１〜１ｇ／ｍ2である。この範囲であれば十分に香りが感じられるものとなる。
【００２９】
他方、包接体をティシュペーパーに含有させるにあたっては、澱粉、ポリビニルアルコール等の公知のバインダーを用いて印刷、塗工により接着させることができる。但し、バインダーによる接着は紙を硬くするため、好ましくは、ティシュペーパーに保湿性を付与する保湿剤中に分散させ、その保湿剤をティシュペーパー原紙に対して塗布して含有させるのがよい。香り付きティシュペーパーは、高付加価値品となるため、特に表面の滑らかさ、しっとり感について、汎用製品とは明らかに異なる質感のあるローションティシューをとも称される保湿タイプのティシュペーパーがベースであるのがよい。よって、上記の保湿剤に分散させて保湿剤による効果が得られる態様での含有が望ましい。
【００３０】
ここで、保湿タイプのティシュペーパーに用いられる保湿剤は種々存在するが、水及びポリオールを主とする水系保湿剤（通常「水系薬液」或いは「水系ローション薬液」とも呼ばれる）、主に非水溶性のワックス等を含み常温で半固形である油系保湿剤とに大別される。水系保湿剤はシートに塗布した場合にシートを構成するパルプ繊維との親和性に優れ、シートの厚み方向（Ｚ方向とも称される）に含浸し、シート全体を改質するように作用し、油系保湿剤は主に表面をコーティングするように作用し、特に表面の滑らかさを向上させる。本発明に係る保湿剤は、水性保湿剤、油性保湿剤のいずれであってもよいが、水系尾質材であると、ポリオールの吸湿によって水分が常時紙中に取り込まれるため、その吸収された水分によって包摂体がゲスト分子である香料を放出し、ほのかな香りが継続的に発するものとなり望ましい。
【００３１】
但し、シクロデキストリンを用いた包接体は、多量の水の存在下でゲスト分子を放出するため、保湿剤中の含有水分量は、塗布時において２０重量％以下、好ましくは１０重量％以下とするのがよい。また、塗布時における香料成分の放散量を少なくすべく、保湿剤に対して包接体を混合してから、ティシュペーパー原紙に塗布するまでの時間は短いほうがよく、概ね４時間以内に塗布するのが望ましい。
【００３２】
なお、上記油系保湿剤は、主成分がワックス類、油脂類であり、常温・常圧では液体又は半固体（クリーム）状をなすのが一般的である。前記油脂類、ワックス類としては、白色ワセリン、流動パラフィン、ヤシ油、パーム油、パルチミン酸などの飽和脂肪酸等が例示できる。この油系保湿剤を用いる場合には、包接体は０．１〜５重量％含有させるのがよい。塗布量は、ティシュペーパー原紙の１０〜３０ｗｔ％の塗布量とするのが望ましい。１０ｗｔ％未満であると油系保湿剤による表面の滑らかさの向上が十分ではない場合があり、また、３０ｗｔ％を超えるとベタつきが感じられるようになるため望ましくない。
【００３３】
他方、水系保湿剤は、グリセリン、プロピレングリコール等のポリオールを７０〜９０ｗｔ％、水分を１０〜２０ｗｔ％程度含むものが一般的である。水系薬液を用いる場合には、包接体は０．１〜８重量％含有させるのがよい。塗布量は、ティシュペーパー原紙の１５〜３５ｗｔ％の塗布量とするのがよい。１５ｗｔ％未満であると柔軟性の向上が十分ではない場合があり、また、３５ｗｔ％を超えるとベタつきが感じられるようになるため望ましくない。
【００３４】
なお、水系保湿剤中に包接体を分散させてティシュペーパー原紙に塗布する態様を採ると、包接体が比較的塗布面に留まり、水分が繊維間に吸収拡散するため、塗布後も継続的に保湿剤中の水分の影響を受けるようなことはない。特にβ−シクロデキストリンで塗布面に留まる傾向が顕著となる。
【００３５】
なお、保湿剤やバインダー中には既知のｐＨ調整剤、界面活性剤などを包接体に影響を与えない範囲で必要に応じて使用することができる。
【００３６】
他方、本発明に係る香り付きティシュペーパーにおいて、包接体を含有させる好ましい位置は、ティシュペーパーの表面、裏面である。図１に示すように、ティシュペーパー１００の好ましい形態である２プライを採る場合には、積層外面Ａ，Ａである（図中各プライは符号Ｐで示す）。積層内面（各プライＰ，Ｐ同士が対面している面）は、吸湿による水分が溜まりやすく蒸散し難いため香りを発する期間が意図せず短くなる場合がある。
【００３７】
上記のように積層外面Ａ，Ａであると、図２に示すように、使用時にティシュペーパー１００で鼻をかんだ際に、鼻水２０に含まれる多量の水分が包接体１０，１０と接触することになり、その際にシクロデキストリン１１，１１…がゲスト分子である香料成分１２，１２…を放出して、十分な香りＧを発する。
【００３８】
そして、上述のとおりシクロデキストリン１１，１１…は、ゲスト分子である香料１２，１２…を放出した後に、再度ゲスト分子を取り込むため、本発明に係る香り付きティシュペーパー１００では、図３に示すように、鼻水をかんだ後で香料成分が放出された状態で、ゴミ箱内に廃棄されたりすると、そのゴミ箱内の異臭成分１３，１３…をシクロデキストリン１１，１１…がゲスト分子として取り込み、ゴミ箱内を消臭する消臭機能が発揮される。
【００３９】
他方、本発明に係る香り付きティシュペーパーは、例えば、複数枚のティシュペーパーからなる束が、直六面体の収納箱内に収納され、その収納箱（カートン箱或いはティシュカートンとも称される）の上面に設けられた取出口からティシュペーパーを順次一枚ずつ引き出して使用するティシュペーパー製品（シート枚を取り出すとそれに連続して次のシートが取出口から引き出される形式をポップアップ式という）とすることができる。
【００４０】
かかるティシュペーパー製品は、この種の製品の既知の製造装置により製造できる。例えば、束の製造については、ロータリ式インターフォルダやマルチスタンド式インターフォルダが利用できる。
【符号の説明】
【００４１】
１００…ティシュペーパー、Ｐ…プライ、Ａ…ティシュペーパーの表裏面（プライの積層外面）、Ｇ…香り、１０…包接体、１１…シクロデキストリン、１２…香料成分、１３…異臭成分、２０…鼻水（水分）。
【図１】
2013208184.tif 000003
【図２】
2013208184.tif 000004
【図３】
2013208184.tif 000005